(57)【要約】【課題】布線空間での電線のがたつきをなくすと共に、完成したワイヤハーネスの抜き取りも大きな抵抗なく行えるようにして、作業性を高める。【解決手段】布線用治具１は、布線板２０上にネジ等で固定されるベース２と、そのベース２上へ垂直に立設される支柱３と、その支柱３の上端に設けられ、横断面円形となる一対の軸部５，５を上方へ平行に突出したＵ字状の電線受け部４とを備える。支柱３は、ベース２に対して所定角度（ここでは略９０度）の範囲で回転可能に連結されると共に、コイルバネ８によって当該回転範囲の端部位置に回転付勢されている。【選択図】図１
2010182506.tif 000002
【特許請求の範囲】
【請求項１】
布線板に立設される支柱と、その支柱の上端に設けられ、上方へ突出させた一対の軸部を有して当該軸部間に電線の布線空間を形成する電線受け部とを備えたワイヤハーネスの布線用治具であって、
前記電線受け部を前記支柱を中心として所定角度回転可能に設けると共に、付勢手段によって前記電線受け部を前記所定角度の端部位置へ回転付勢することを特徴とするワイヤハーネスの布線用治具。
【請求項２】
前記電線受け部の軸部の上端に、前記布線空間の上方を狭める方向へ折曲される折曲部を設けたことを特徴とする請求項１に記載のワイヤハーネスの布線用治具。
【請求項３】
前記一対の軸部を、前記布線方向で前後にずらして形成したことを特徴とする請求項２に記載のワイヤハーネスの布線用治具。
【請求項４】
前記電線受け部の軸部の上端に、前記布線空間の上方を狭める内側位置と、前記布線空間の上方を拡げる外側位置との間で任意に揺動可能な可動部を設けたことを特徴とする請求項１に記載のワイヤハーネスの布線用治具。
【請求項５】
請求項１乃至４の何れかに記載のワイヤハーネスの布線用治具を、前記一対の軸部が平面視で電線の布線方向に沿って並ぶ向きで複数立設してなる布線板。
【請求項６】
請求項５に記載の布線板を用い、前記布線用治具における前記一対の軸部間に電線を布線方向に貫通させ、回転付勢される前記一対の軸部によって前記電線を挟持させて布線を行うことを特徴とするワイヤハーネスの製造方法。
【発明の詳細な説明】
【技術分野】
【０００１】
本発明は、自動車用のワイヤハーネスの製造工程において電線の布線の際に用いる布線用治具及び布線板と、その布線板を用いたワイヤハーネスの製造方法とに関する。
【背景技術】
【０００２】
自動車のワイヤハーネスの製造工程において、電線の布線板には、電線を所定位置で保持するための布線用治具が立設されている。この布線用治具としては、布線板に立設される支柱の上部に、上方へ突出する一対の軸部を有する電線受け部を設けた音叉状の形態がよく知られている。
このような布線用治具においては、電線を掛けて布線する際に電線が様々な方向から張力を受けるため、電線が軸部間の布線空間から抜けるおそれがある。特に布線板は、作業性を良くするために所定角度（例えば６０度）傾斜させて設置されることもあるため、布線板に対して垂直に立設される布線用治具も傾斜し、さらに電線が抜けやすくなってしまう。
【０００３】
そこで、電線の抜け止め対策として、特許文献１には、電線受け部の上部に、電線の布線空間を弾性的に閉じる一対の棒片を設ける防止具の発明が記載されている。また、特許文献２には、電線受け部の一方の端部に合成ゴム製の板バネを設けてその先端を他方の端部に係止させて電線の一時保持を行う治具の発明が記載されている。さらに、特許文献３には、電線受け部を螺旋状に捩らせると共に、電線受け部の支柱をパイプに対して回転可能に挿入して、支柱に貫通させたピンをパイプに設けたカム溝に係合させて、カム溝の下端では電線受け部の上端が電線の抜け止め位置にあり、布線後のワイヤハーネスの引き上げによって電線受け部がカム溝の案内によって抜け止め解除方向へ回転するようにした布線治具の発明が記載されている。
【先行技術文献】
【特許文献】
【０００４】
【特許文献１】特開平１０−３０２５５８号公報
【特許文献２】特開平１１−３６２３号公報
【特許文献３】特開平６−２２３６４４号公報
【発明の概要】
【発明が解決しようとする課題】
【０００５】
上記特許文献１〜３に記載の抜け止め技術は、電線受け部間での布線空間の上方を閉塞するもので、布線空間自体の大きさは変わらない。しかし、この布線空間は、完成したワイヤハーネスに合わせて設定されているため、製造過程の初期で布線される電線が少ない状態では電線の位置が定まらず、布線空間内でがたつきやすい。従って作業性が悪くなり、ワイヤハーネスの寸法精度の低下にも繋がる。
一方、完成したワイヤハーネスを電線受け部間から抜き取る際に、棒片や板バネ，電線受け部の上端がワイヤハーネスと干渉するため、抜き取りの大きな抵抗となり、ここでも作業性を悪くしてしまう。
【０００６】
そこで、本発明は、布線空間での電線のがたつきをなくすと共に、完成したワイヤハーネスの抜き取りも大きな抵抗なく行えるようにして、作業性に優れるワイヤハーネスの布線用治具及び布線板と、ワイヤハーネスの製造方法とを提供することを目的としたものである。
【課題を解決するための手段】
【０００７】
上記目的を達成するために、請求項１に記載の発明は、布線板に立設される支柱と、その支柱の上端に設けられ、上方へ突出させた一対の軸部を有して当該軸部間に電線の布線空間を形成する電線受け部とを備えたワイヤハーネスの布線用治具であって、電線受け部を支柱を中心として所定角度回転可能に設けると共に、付勢手段によって電線受け部を所定角度の端部位置へ回転付勢することを特徴とするものである。
請求項２に記載の発明は、請求項１の構成において、電線受け部の軸部の上端に、布線空間の上方を狭める方向へ折曲する折曲部を設けたことを特徴とするものである。
請求項３に記載の発明は、請求項２の構成において、一対の軸部を、布線方向で前後にずらして形成したことを特徴とするものである。
請求項４に記載の発明は、請求項１の構成において、電線受け部の軸部の上端に、布線空間の上方を狭める内側位置と、布線空間の上方を拡げる外側位置との間で任意に揺動可能な可動部を設けたことを特徴とするものである。
上記目的を達成するために、請求項５に記載の発明は、布線板であって、請求項１乃至４の何れかに記載のワイヤハーネスの布線用治具を、一対の軸部が平面視で電線の布線方向に沿って並ぶ向きで複数立設してなることを特徴とするものである。
上記目的を達成するために、請求項６に記載の発明は、ワイヤハーネスの製造方法であって、請求項５に記載の布線板を用い、布線用治具における一対の軸部間に電線を布線方向に貫通させ、回転付勢される一対の軸部によって電線を挟持させて布線を行うことを特徴とするものである。
【発明の効果】
【０００８】
本発明によれば、回転付勢される電線受け部によって布線作業中での電線の抜けが効果的に防止されるので、布線作業に係る作業性が良好となる。また、完成したワイヤハーネスの抜き取りも大きな抵抗なく行え、作業性に優れたものとなる。さらに、電線の径が小さかったり数が少なかったりした場合でも軸部による電線の挟持は行われるため、布線空間で電線ががたつきなく位置決めされ、ワイヤハーネスの寸法精度も維持できる。これらの効果は、ワイヤハーネスの径が変わったり、布線板を傾斜させて布線作業を行う場合であっても同様に享受できる。
請求項２に記載の発明によれば、請求項１の効果に加えて、折曲部を設けることで、より電線の抜けが生じにくくなる。また、このように折曲部を設けても、完成したワイヤハーネスを抜き取る際には、電線受け部が回転して必要な分だけ布線空間を開放するため、ワイヤハーネスの抜き取りの邪魔になることがない。
請求項３に記載の発明によれば、請求項２の効果に加えて、軸部をずらすことで折曲部を布線方向でオーバーラップさせることができるので、布線作業中での電線の抜けがより効果的に防止される。勿論完成したワイヤハーネスの抜き取りも簡単に行うことができる。
請求項４に記載の発明によれば、請求項１の効果に加えて、布線作業の際には可動部を内側位置へ倒しておけば、より電線の抜けが生じにくくなる。また、このように可動部を設けても、完成したワイヤハーネスを抜き取る際には、可動部を外側位置へ倒すことで何ら障害なく抜き取りが行える。
【図面の簡単な説明】
【０００９】
【図１】布線用治具及び布線板の説明図である。
【図２】布線用治具への布線状態を示す説明図で、（Ａ）が電線が少ない又は電線径が小さい状態、（Ｂ）が電線が多い又は電線径が大きい状態を夫々示す。
【図３】電線受け部の変更例を示す説明図である。
【図４】電線受け部の他の変更例を示す説明図である。
【図５】電線受け部の他の変更例を示す説明図で、（Ａ）が平面、（Ｂ）が側面、（Ｃ）が正面を夫々示す。
【図６】図５の布線用治具におけるワイヤハーネスの抜き取り状態を示す説明図である。
【発明を実施するための形態】
【００１０】
以下、本発明の実施の形態を図面に基づいて説明する。
図１は、ワイヤハーネスの布線用治具（以下単に「治具」という。）の説明図で、治具１は、布線板２０上にネジ等で固定されるベース２と、そのベース２上へ垂直に立設される支柱３と、その支柱３の上端に設けられ、横断面円形となる一対の軸部５，５を上方へ平行に突出したＵ字状の電線受け部４とを備える。
支柱３は、ベース２に対して所定角度（ここでは略９０度）の範囲で回転可能に連結されると共に、付勢手段によって当該回転範囲の端部位置に回転付勢されている。この構造は、例えば支柱３の下端で放射方向へ突設した突起６を、ベース２に形成した扇状の切欠き７内で付勢手段となるコイルバネ８によって周方向へ押圧する等して形成される。よって、上端の電線受け部４も、実線及び二点鎖線で夫々示すように略９０度の範囲で回転可能で、且つ実線で示す端部位置に回転付勢されることになる。
【００１１】
以上の如く構成された治具１は、布線板２０上では、両軸部５，５が電線の布線方向（図１の矢印Ａ方向）に沿って並ぶ向きにしてベース２が固定される。この状態では、軸部５，５間に形成される布線空間９は布線方向Ａと平行となり、布線方向Ａで見て閉じた状態となっている。従って、ここから電線を布線する際には、電線受け部４をコイルバネ８の付勢に抗して回転させて布線方向Ａで軸部５，５間の布線空間９を開放させ、布線空間９に対して電線を斜めに貫通させることになる。なお、布線空間９は布線方向Ａとの交差方向では開放しているので、電線を電線受け部４の横から回り込むように軸部５，５間に導けば、電線受け部４を先に回転させなくても電線の貫通は行える。
【００１２】
こうして電線を軸部５，５間の布線空間９に対して布線方向Ａで貫通させた状態では、図２（Ａ）に示すように、回転付勢される軸部５，５が夫々電線１０に対して交差方向へ互いに逆向き（矢印方向）に押圧するため、電線１０の数が少なかったり電線径が小さかったりしても電線受け部４の中央で軸部５，５によってがたつきなく挟持され、電線受け部４から上方へ不用意に抜けにくくなる。
また、布線される電線１０の数が増えたり電線径が大きかったりすると、図２（Ｂ）に示すようにワイヤハーネスＷの径に合わせて電線受け部４が回転し、布線方向Ａでの布線空間９を大きく開くことになるが、軸部５，５によるワイヤハーネスＷの挟持は継続される。従って、この場合もワイヤハーネスＷは電線受け部４の中央でがたつきなく保持され、電線受け部４から上方へ不用意に抜けにくくなる。
【００１３】
そして、ワイヤハーネスＷが完成すると、ワイヤハーネスＷを電線受け部４から上方へ抜き取ることになるが、このとき軸部５，５の側面に沿ってワイヤハーネスＷの側面が摺動するため、電線受け部４の回転付勢による抵抗は少なく、ワイヤハーネスＷを容易に抜き取ることができる。
【００１４】
このように、上記形態の治具１及び布線板２０によれば、回転付勢される電線受け部４によって布線作業中での電線１０の抜けが効果的に防止されるので、布線作業に係る作業性が良好となる。また、完成したワイヤハーネスＷの抜き取りも大きな抵抗なく行え、作業性に優れたものとなる。さらに、電線１０の径が小さかったり数が少なかったりした場合でも軸部５，５による電線の挟持は行われるため、布線空間９で電線１０ががたつきなく位置決めされ、ワイヤハーネスＷの寸法精度も維持できる。これらの効果は、ワイヤハーネスＷの径が変わったり、布線板２０を傾斜させて布線作業を行う場合であっても同様に享受できる。
【００１５】
なお、電線受け部４は、図３に示すように、各軸部５の上端に、布線空間９の上方を狭める方向へ折曲される折曲部１１を夫々形成してもよい。この折曲部１１を設けることで、より電線の抜けが生じにくくなる。また、このように折曲部１１を設けても、完成したワイヤハーネスを抜き取る際には、電線受け部４が回転して必要な分だけ布線空間９を開放するため、ワイヤハーネスの抜き取りの邪魔になることがない。
また、図４に示すように、各軸部５の上端にピン１３によって可動部１２を夫々連結して、両可動部１２，１２を、布線空間９の上方を狭める内側位置と、布線空間９の上方を拡げる外側位置との間で任意に揺動可能とすることもできる。この可動部１２を設けることで、布線作業の際には内側位置へ倒しておけば、より電線の抜けが生じにくくなる。また、このように可動部１２を設けても、完成したワイヤハーネスを抜き取る際には、二点鎖線で示すように可動部１２を外側位置へ倒すことで何ら障害なく抜き取りが行える。
【００１６】
さらに、図５に示すように、上端に折曲部１１を夫々形成した軸部５，５を、布線方向で前後にずらして形成することもできる。この場合、折曲部１１，１１を布線方向でオーバーラップさせることができるので、布線作業中での電線の抜けがより効果的に防止される。完成したワイヤハーネスＷを抜き取る際には、図６に示すように、ワイヤハーネスＷが前後の折曲部１１，１１と当接することで電線受け部４が回転付勢に抗してスムーズに回転し、上方を大きく開放させるため、折曲部１１，１１をオーバーラップさせてもワイヤハーネスＷを簡単に抜き取ることができる。
なお、この折曲部のオーバーラップ量は適宜変更可能で、また、必ずしもオーバーラップさせる必要はなく、回転付勢の端部位置で電線一本分程度の隙間が布線方向で形成されるようにしたり、隙間を設けずに折曲部の端部同士が布線方向で近接するように形成したりして差し支えない。
【００１７】
一方、電線受け部の付勢手段も、コイルバネに代えて板バネやトーションスプリングを用いたり、突起をベース側に設けて支柱の表面に凹設した溝に係合させたり等、適宜設計変更可能である。勿論回転角度も９０度に限らず、増減して差し支えないし、布線板への固定姿勢も、布線方向で見て一対の軸部間に例えば電線一本分程度の隙間ができるような斜め向きとすることも可能である。
さらに、電線受け部の形態も、Ｕ字状に限らず、倒コ字状としたり、軸部の断面を長円や楕円等にしたり等、適宜設計変更可能である。
【００１８】
そして、上記形態では、ベースに支柱を回転可能且つ回転付勢して設けているが、ベースをなくして支柱を直接布線板に対して回転可能且つ回転付勢して設けてもよい。また、支柱ごと電線受け部を回転させる形態に限らず、例えば図４に示すように、支柱３を、電線受け部４が一体に形成される上方部３ａと、布線板２０に固定される下方部３ｂとに分割して、連結部１４（例えば上記形態のように上方部３ａに突起を、下方部３ｂの上端に形成した大径部に切欠きとコイルバネとを設ける連結構造）を介して、電線受け部と支柱の一部とを回転可能且つ回転付勢して設けたり、さらには電線受け部を支柱と別体に形成して、固定される支柱に対して電線受け部のみを回転可能且つ回転付勢して設けたりすることが考えられる。
【符号の説明】
【００１９】
１・・布線用治具、２・・ベース、３・・支柱、４・・電線受け部、５・・軸部、６・・突起、７・・切欠き、８・・コイルバネ、９・・布線空間、１０・・電線、１１・・折曲部、１２・・可動部、１４・・連結部、２０・・布線板、Ｗ・・ワイヤハーネス。
【図１】
2010182506.tif 000003
【図２】
2010182506.tif 000004
【図３】
2010182506.tif 000005
【図４】
2010182506.tif 000006
【図５】
2010182506.tif 000007
【図６】
2010182506.tif 000008